(57)【要約】【課題】実際の用紙の特性や印刷しようとする画像データに応じた適切な色材量制限を行う。【解決手段】上限値指定部４７は、ＵＩ装置２６を介してユーザから入力された上限値をトナー量を制限するための上限値としてトナー量制限部４５に対して指定する。トナー量制限部４５は、キャリブレーション処理部４４によりキャリブレーション処理が行われた後の画像データ（Ｃ3Ｍ3Ｙ3Ｋ3）の所定範囲内のトナー量が、上限値指定部４７により指定された上限値以下となるようトナー量を制限する。【選択図】図４
2008153811.tif 000002
【特許請求の範囲】
【請求項１】
色材量を制限する上限値を指定する指定手段と、
入力された画像情報の所定範囲内の色材量が前記指定手段により指定された上限値以下となるよう色材量を制限する制限手段と、
を有する画像処理装置。
【請求項２】
色材量を制限する上限値を選択する選択手段と、
入力された画像情報の所定範囲内の色材量が前記選択手段により選択された上限値以下となるよう色材量を制限する制限手段と、
を有する画像処理装置。
【請求項３】
前記選択手段は、指定された用紙種別情報に基づいて色材量の上限値を選択する請求項２記載の画像処理装置。
【請求項４】
前記制限手段は、入力された画像情報の各色成分の信号レベルの所定範囲内の総和を制限することにより色材量の制限を行う請求項１から３のいずれか１項記載の画像処理装置。
【請求項５】
色材量を制限する上限値を指定する指定手段と、入力された画像情報の所定範囲内の色材量が前記指定手段により指定された上限値以下となるよう色材量を制限する制限手段とを有する画像処理装置と、
前記画像処理装置により色材量制限が行なわれた後の画像情報に基づいた画像を出力する画像出力装置と、
を備えた画像形成装置。
【請求項６】
色材量を制限する上限値を選択する選択手段と、入力された画像情報の所定範囲内の色材量が前記選択手段により選択された上限値以下となるよう色材量を制限する制限手段とを有する画像処理装置と、
前記画像処理装置により色材量制限が行なわれた後の画像情報に基づいた画像を出力する画像出力装置と、
を備えた画像形成装置。
【請求項７】
前記選択手段は、指定された用紙種別情報に基づいて色材量の上限値を選択する請求項６記載の画像形成装置。
【請求項８】
前記制限手段は、入力された画像情報の各色成分の信号レベルの所定範囲内の総和を制限することにより色材量の制限を行う請求項５から７のいずれか１項記載の画像形成装置。
【請求項９】
色材量を制限する上限値を指定するステップと、
入力された画像情報の所定範囲内の色材量が指定された上限値以下となるよう色材量を制限するステップと、
をコンピュータに実行させるためのプログラム。
【請求項１０】
色材量を制限する上限値を選択するステップと、
入力された画像情報の所定範囲内の色材量が選択された上限値以下となるよう色材量を制限するステップと、
をコンピュータに実行させるためのプログラム。
【請求項１１】
色材量を制限する上限値を選択するステップでは、指定された用紙種別情報に基づいて色材量の上限値を選択する請求項１０記載のプログラム。
【請求項１２】
色材量を制限するステップでは、入力された画像情報の各色成分の信号レベルの所定範囲内の総和を制限することにより色材量の制限を行う請求項９から１１のいずれか１項記載のプログラム。
【発明の詳細な説明】
【技術分野】
【０００１】
本発明は、トナーまたはインク等の色材量の制限を行なう画像処理装置および画像形成装置ならびにプログラムに関する。
【背景技術】
【０００２】
カラー印刷機（プリンタ）等の画像形成装置では、トナーやインク等の複数色の色材を用いて画像形成が行われる。例えば、ＣＭＹＫ４色のトナーを用いて画像形成を行う画像形成装置では、各色のトナー量の最大値を１００％とした場合、使用されるトナー量は最大で４００％となってしまう。しかし、印刷適性を考慮すると通常全色のトナー量をすべて１００％にして印刷することはできず、使用することができるトナー量の合計には上限値が存在する。
【０００３】
この上限値を超えると、電子写真方式の場合にはトナーの記録紙への転写不良や定着不良により著しい色むらが生じ、インクジェット方式の場合にはインクが記録紙へ吸収されず滲んでしまうような不具合が発生する。
【０００４】
そのため、例えばＣＭＹＫ４色のトナーを用いて画像形成を行う画像形成装置では、印刷方式や印刷媒体の特性によりトナー量が、例えば２００％〜３６０％程度の上限値以下となるようなトナー量制限が行われている。
【０００５】
ところで、一般的には、画像はＰＣ（パーソナルコンピュータ）上ではＲＧＢ空間で取り扱われることが多い。プリンタ側では、このＲＧＢ色空間の入力画像を印刷用インクであるＣＭＹＫ色空間に変換する必要がある。インクジェット方式のプリンタや印刷機では６色以上の多色インクを使用することもある。このＲＧＢ色空間からＣＭＹＫ色空間への変換は通常プリンタ内部の色変換処理により行われるが、この色変換の際にトナー量制限を行うことが開示されている（例えば、特許文献１、２参照。）。このようなトナー量制限方法では、当該プリンタの印刷特性であるトナー量上限値を考慮した色変換テーブルを用意しておき、入力された画像データを上限値を超えないように色変換処理するようにしている。
【０００６】
また、ユーザによる階調特性の調整操作（ＴＲＣ（Tone Reproduction Curve）設定）を施すことができるプリンタでは、プリンタ内部の色変換処理においてではなく、階調特性を調整した後にトナー量制限を行うようにした構成も開示されている（例えば、特許文献３参照。）。
【０００７】
上述した特許文献１〜３に開示されたいずれの色材量制限方法においても、色材量制限を行うための上限値として予め定められた固定値が用いられている。
【０００８】
一方、トナー総量の制限値を越える画像が局所的にしか制限値を越えない場合や用紙の特性によっては、上限値を上げてトナー量制限を緩くしても問題ない場合がある。そして、上限値を上げてトナー量制限を緩くした場合、実効的な色再現領域が拡大するため、より豊かな色表現をした印刷画像を提供することができる。
【０００９】
しかし、従来の色材量制限処理では、上限値として固定値が用いられるので、実際の用紙の特性や印刷を行おうとする画像データによっては過剰な色材量制限が行われてしまい不必要に色再現領域を狭くしてしまっている場合も発生し得る。
【００１０】
【特許文献１】特開平９−２６１４９２号公報
【特許文献２】特開２００３−３２４６２５号公報
【特許文献３】特開２００３−３１２０６１号公報
【発明の開示】
【発明が解決しようとする課題】
【００１１】
上述した従来の色材量制限方法では、色材量制限における上限値が固定値であるため過剰な色材量制限が行われしまい色再現領域を不必要に狭くしてしまう場合があるという問題点があった。
【００１２】
本発明の目的は、実際の用紙の特性や印刷しようとする画像データに応じた適切な色材量制限を行うことが可能な画像処理装置および画像形成装置を提供することである。
【課題を解決するための手段】
【００１３】
［画像処理装置］
上記目的を達成するために、本発明の画像処理装置は、色材量を制限する上限値を指定する指定手段と、
入力された画像情報の所定範囲内の色材量が前記指定手段により指定された上限値以下となるよう色材量を制限する制限手段とを有する。
【００１４】
本発明によれば、色材量制限を行うための上限値を指定手段により指定することができるようにして可変にしているため、印刷しようとする画像の特性や用紙の特性等に応じた上限値を設定することが可能となり色再現領域を不必要に狭くしてしまうことを防ぐことが可能になる。
【００１５】
また、本発明の画像処理装置は、色材量を制限する上限値を選択する選択手段と、
入力された画像情報の所定範囲内の色材量が前記選択手段により選択された上限値以下となるよう色材量を制限する制限手段とを有する。
【００１６】
本発明によれば、色材量制限を行うための上限値を選択手段により自動的に選択するようにしているので、ユーザが上限値を指定することなく、印刷しようとする画像の特性や用紙の特性等に応じた上限値を設定することが可能となる。
【００１７】
好ましくは、前記選択手段は、指定された用紙種別情報に基づいて色材量の上限値を選択する。
【００１８】
好ましくは、前記制限手段は、入力された画像情報の各色成分の信号レベルの所定範囲内の総和を制限することにより色材量の制限を行う。
【００１９】
［画像形成装置］
上記目的を達成するために、本発明の画像形成装置は、色材量を制限する上限値を指定する指定手段と、入力された画像情報の所定範囲内の色材量が前記指定手段により指定された上限値以下となるよう色材量を制限する制限手段とを有する画像処理装置と、
前記画像処理装置により色材量制限が行なわれた後の画像情報に基づいた画像を出力する画像出力装置とを備えている。
また、本発明の画像形成装置は、色材量を制限する上限値を選択する選択手段と、入力された画像情報の所定範囲内の色材量が前記選択手段により選択された上限値以下となるよう色材量を制限する制限手段とを有する画像処理装置と、
前記画像処理装置により色材量制限が行なわれた後の画像情報に基づいた画像を出力する画像出力装置とを備えている。
【００２０】
好ましくは、前記選択手段は、指定された用紙種別情報に基づいて色材量の上限値を選択する。
【００２１】
好ましくは、前記制限手段は、入力された画像情報の各色成分の信号レベルの所定範囲内の総和を制限することにより色材量の制限を行う。
【００２２】
［プログラム］
上記目的を達成するために、本発明のプログラムは、色材量を制限する上限値を指定するステップと、
入力された画像情報の所定範囲内の色材量が指定された上限値以下となるよう色材量を制限するステップとをコンピュータに実行させる。
【００２３】
また、本発明のプログラムは、色材量を制限する上限値を選択するステップと、
入力された画像情報の所定範囲内の色材量が選択された上限値以下となるよう色材量を制限するステップとをコンピュータに実行させる。
【００２４】
好ましくは、色材量を制限する上限値を選択するステップでは、指定された用紙種別情報に基づいて色材量の上限値を選択する。
【００２５】
好ましくは、色材量を制限するステップでは、入力された画像情報の各色成分の信号レベルの所定範囲内の総和を制限することにより色材量の制限を行う。
【発明の効果】
【００２６】
以上説明したように、本発明によれば、色材量制限のための上限値を変更することができるようになり、実際の用紙の特性や印刷しようとする画像データに応じた適切な色材量制限を行うことが可能になるという効果を得ることができる。
【発明を実施するための最良の形態】
【００２７】
次に、本発明の実施の形態について図面を参照して詳細に説明する。
【００２８】
[第１の実施形態]
図１は本発明の第１の実施形態の画像形成装置１０を含む画像形成システムの構成を示す図である。
【００２９】
図１に示すように、本実施形態の画像形成システムは、ネットワーク１４を介して接続された画像形成装置１０および端末装置２０を含む。端末装置２０は、印刷ジョブ等の印刷データを生成して、色材量制限が行なわれる前の画像データを画像形成装置１０に対して送信する。画像形成装置１０は、端末装置２０から送信された印刷データを受け付けて、印刷データに応じた画像を印刷用紙上に出力する。
【００３０】
次に、本実施形態の画像形成装置１０のハードウェア構成を図２に示す。
画像形成装置１０は、図２に示されるように、ＣＰＵ１８、メモリ１９、ハードディスクドライブ（ＨＤＤ）等の記憶装置２２、ネットワーク１４を介して外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、印刷エンジン２８を有する。これらの構成要素は、制御バス１６を介して互いに接続されている。
【００３１】
ＣＰＵ１８は、メモリ１９または記憶装置２２に格納された画像処理プログラムに基づいて所定の処理を実行して、画像形成装置１０の動作を制御する。また、画像処理プログラムは、通信ＩＦ２４を介して外部から提供するようにしてもよいし、ＣＤ−ＲＯＭ等の記憶媒体に格納して提供するようにしてもよい。
【００３２】
図３は、上記の画像処理プログラムが実行されることにより実現される画像形成装置１０の機能構成を示すブロック図である。
本実施形態の画像形成装置１０は、図３に示されるように、給紙装置２９と、印刷エンジン２８Ｋ〜２８Ｙと、エンジンコントローラ３０Ｋ〜３０Ｙと、排出装置３１と、プリンタコントローラ３２と、色変換テーブル３４と、ユーザＴＲＣ（Tone Reproduction Curve）テーブル３５と、キャリブレーションテーブル３６とを備えている。そして、プリンタコントローラ３２内には、印刷しようとする画像データに対して画像処理を行うための画像処理装置３３が構成されている。
【００３３】
色変換テーブル３４には、ＣＭＹＫの各色のデータの組み合わせ毎に対応するデータが設定されたＬＵＴ（Look Up Table）等の色変換のためのデータが格納されている。
【００３４】
ユーザＴＲＣテーブル３５には、印刷用紙の種類等に応じて階調特性を補正するためのデータが格納されている。
【００３５】
キャリブレーションテーブル３６には、画像出力装置における出力結果が目標濃度に一致するように入力画像信号を補正するための階調補正データが格納されている。
【００３６】
エンジンコントローラ３０Ｋ〜３０Ｙは、印刷エンジン２８Ｋ〜２８Ｙの動作をそれぞれ制御している。印刷エンジン２８Ｋ〜２８Ｙは、給紙装置２９により給紙された印刷用紙に対して、ＫＣＭＹ各色毎の印刷データに基づいた印刷をそれぞれ行い排出装置３１に対して出力する。なお、印刷エンジン２８Ｋ〜２８Ｙは、画像処理装置３３により色変換が行なわれた後の画像データに基づいた画像を出力する画像出力装置として機能している。
【００３７】
次に、図３中の画像処理装置３３の構成を図４を参照して説明する。
本実施形態における画像処理装置３３は、図４に示されるように、入力色変換部４１と、出力色変換部４２と、ユーザＴＲＣ（Tone Reproduction Curve）設定部４３と、キャリブレーション処理部４４と、トナー量制限部４５と、スクリーン処理部４６と、上限値指定部４７とを備えている。
【００３８】
入力色変換部４１は、入力されたＲＧＢ画像データまたはＣＭＹＫ画像データに対して、色変換処理を行う。具体的には、入力色変換部４１は、入力色変換テーブル３４ａに格納された所定の入力プロファイルを利用して、ＲＧＢまたはＣＭＹＫ等の入力色空間の画像データを、ＰＣＳ（Profile Connection Space）（例えば、ＣＩＥ−Ｌ*ａ*ｂ*（以下、単にＬ*ａ*ｂ*と表記する。））の画像データに変換する。すなわち、入力色変換部４１は、デバイスディペンデント（デバイス依存）な色空間からデバイスインディペンデント（デバイス非依存）な色空間への変換を行う。
【００３９】
出力色変換部４２は、入力色変換部４１によってＰＣＳに変換された画像データに対して、色変換処理を行う。具体的には、出力色変換部４２は、出力色変換テーブル３４ｂに格納された画像出力装置の標準出力プロファイルを利用して、Ｌ*ａ*ｂ*等のＰＣＳの画像データを、ＣＭＹＫ色空間の画像データに変換する。すなわち、出力色変換部４２は、デバイスインディペンデント（デバイス非依存）な色空間からデバイスディペンデント（デバイス依存）な色空間への変換を行う。なお、標準出力プロファイルとは、画像出力装置の標準特性を記述したものである。
【００４０】
なお、図４においては、図３中の色変換テーブル３４を入力色変換テーブル３４ａ、出力色変換テーブル３４ｂとに分けて説明している。しかし、入力色変換テーブル３４ａ、出力色変換テーブル３４ｂを合成して１つの色変換テーブルを用いて入出力色変換処理を一括して行うようにすることも可能である。
【００４１】
ユーザＴＲＣ設定部４３は、出力色変換部４２により色変換が行なわれた後の画像データ（Ｃ1Ｍ1Ｙ1Ｋ1）に対して、ユーザＴＲＣテーブル３５に格納されている階調補正カーブのうちの設定された階調補正カーブに基づいた階調補正を行なう。
【００４２】
キャリブレーション処理部４４は、ユーザＴＲＣ設定部４３により階調補正が行なわれた後の画像データ（Ｃ2Ｍ2Ｙ2Ｋ2）に対して、キャリブレーションテーブル３６に基づいたキャリブレーション処理を行う。ここで、キャリブレーション処理とは、画像出力装置における環境変化や経時変化による影響を補償することを目的として階調補正を行う処理である。
【００４３】
上限値指定部４７は、図２に示したＵＩ装置２６を介してユーザから入力された上限値をトナー量を制限するための上限値としてトナー量制限部４５に対して指定する。
【００４４】
トナー量制限部４５は、キャリブレーション処理部４４によりキャリブレーション処理が行われた後の画像データ（Ｃ3Ｍ3Ｙ3Ｋ3）の所定範囲内のトナー量が、上限値指定部４７により指定された上限値以下となるようトナー量を制限する。具体的には、トナー量制限部４５は、画像データのうちのＣＭＹ成分の画像データ（Ｃ3Ｍ3Ｙ3Ｋ3）の各色成分の信号レベルの所定範囲内の総和、例えばピクセル（画素）範囲内の総和をある値以下に制限することによりトナー量制限を行う。
【００４５】
このトナー量制限部４５によるトナー量の制限方法を図５を参照して説明する。
図５に示されるように、トナー量制限部４５は、ＣＭＹＫの面積率の合計が予め設定された上限値を越えた場合、ＣＭＹの値を一定の比率で減少させてＣＭＹＫの面積率が上限値以下となるようにすることによりトナー量制限を行う。このようなトナー量制限によれば、トナー量制限の適用前後においてシアン（Ｃ）、マゼンタ（Ｍ）、イエロー（Ｙ）の値の比率は同じままとなるため色相は保存される。
【００４６】
ここで、面積率とは、１ピクセル内における１色分のトナー量の最大値を１００％とした場合の、ＣＭＹＫ各色のトナー量の総和を示している。つまり、使用するトナーがＣＭＹＫの４色の場合、面積率の最大値は４００％（＝４色×１００％）である。
【００４７】
なお、ここではトナー量制限部４５は、Ｋ色の信号レベルについては制限を行わずにＣＭＹ成分の信号レベルの制限のみを行うものとして説明しているが、トナー量制限の方法はこのような方法に限定されるものではない。Ｋ色の信号レベルが変化するようなトナー量制限方法を用いるようにしても良い。例えば、下色除去（ＵＣＲ：Under Color Removal）を行うことによりトナー量を削減してトナー量制限を行うようにしてもよい。
【００４８】
スクリーン処理部４６は、トナー量制限部４５によりトナー量が制限された画像データ（Ｃ4Ｍ4Ｙ4）を２値化処理することによりＣＭＹＫバイナリ画像データに変換して出力する。
【００４９】
スクリーン処理部４６により生成されたＣＭＹＫバイナリ画像データは、図３に示したエンジンコントローラ３０Ｋ〜３０Ｙに供給され画像形成が行われる。
【００５０】
次に、本実施形態の画像処理装置３３の動作を図６のフローチャートを参照して詳細に説明する。
【００５１】
先ず、入力されたＲＧＢまたはＣＭＹＫ画像データは、入力色変換部４１による色変換処理が行われ例えばＬ*ａ*ｂ*等のデバイスインディペンドな画像データに変換される（Ｓ１０１）。
【００５２】
次に、このＬ*ａ*ｂ*等の画像情報は、出力色変換部４２において色変換処理が行われ、ＣＭＹＫ色空間の画像データ（Ｃ1Ｍ1Ｙ1Ｋ1）に変換される（Ｓ１０２）。
【００５３】
そして、出力色変換部４２により色変換が行なわれた後の画像データに対して、ユーザＴＲＣ設定部４３によるユーザＴＲＣ処理（Ｓ１０３）、キャリブレーション処理部４４によるキャリブレーション処理（Ｓ１０４）が行われる。
【００５４】
次に、上限値指定部４７は、図２に示したＵＩ装置２６を介してユーザから入力された上限値をトナー量を制限するための上限値としてトナー量制限部４５に対して指定する（Ｓ１０５）。
【００５５】
次に、キャリブレーション処理部４４によりキャリブレーション処理が行なわれた後の画像情報は、トナー量制限部４５において、上限値指定部４７により指定された上限値に基づいてトナー量制限処理が行なわれる（Ｓ１０６）。
【００５６】
最後に、スクリーン処理部４６では、トナー量制限部４５によりトナー量が制限された画像データ（Ｃ4Ｍ4Ｙ4）を２値化処理することによりＣＭＹＫバイナリ画像データが生成される（Ｓ１０７）。
【００５７】
本実施形態の画像処理装置３３によれば、上限値指定部４７によりトナー量制限を行うための上限値を指定することができるような構成となっている。つまり、トナー量制限部４５において行われるトナー量制限の上限値を固定値ではなく可変にしている。そのため、ユーザは、印刷しようとする画像の特性や用紙の特性等に応じた上限値を設定することが可能となり色再現領域を不必要に狭くしてしまうことを防ぐことが可能になる。
【００５８】
なお、出力色変換テーブル３４ｂを作成する場合に上限値を考慮した色変換テーブルとすれば出力色変換部４２における色変換処理の際にトナー量制限を実行することも可能である。しかし、色変換テーブルを作成するためには多大な手間と時間が必要となる。そのため、本実施形態のようにトナー量制限部４５を独立して設けてトナー量制限を行うようにすることにより上限値を可変にしたトナー量制限処理を実現することが可能となる。
【００５９】
さらに、トナー量制限処理は、プリンタ側の都合によりユーザが予期しない強制的な画質変更処理を行うものである。そのため、トナー量の制限処理が行われた場合には、上限値設定部４７は、その旨をユーザに対して通知するようにしてもよい。ユーザは、上限値設定部４７からの通知を受け取ることにより、予期しない画質変更処理の発生の有無を知ることが可能となる。また、ユーザがトナー量の制限を考慮に入れて再度画像データを作成する上でのヒント情報にもなる。
【００６０】
[第２の実施形態]
次に、本発明の第２の実施形態の画像処理装置について説明する。
【００６１】
図７は、本発明の第２の実施形態の画像処理装置３３ａの構成を示すブロック図である。図７において、図４中の構成要素と同一の構成要素には同一の符号を付し、説明を省略するものとする。
【００６２】
本実施形態における画像処理装置３３ａは、図４に示した第１の実施形態における画像処理装置３３に対して、上限値指定部４７が上限値選択部４８に置き換わった構成となっている。
【００６３】
本実施形態におけるトナー量制限部４５は、トナー量が上限値選択部４８により選択された上限値以下となるように、キャリブレーション処理部４４からの画像データに対してトナー量を制限する。
【００６４】
上限値選択部４８は、指定された用紙種別情報に基づいてトナー量を制限する上限値を選択する。
【００６５】
電子写真方式のプリンタでは、プロセスパラメータ決定のために必要な特性として、普通紙／コート紙／新聞用紙等の印刷用紙の種別である用紙種別を指定する必要がある。そのため、この用紙種別ごとのトナー量制限の上限値を予め設定しておき、上限値選択部４８は、この用紙種別情報に基づいてトナー量制限処理における上限値を選択するようにしている。
【００６６】
図８に、用紙種別情報と上限値との関係の一例を示す。この図８を参照すると、例えば、用紙種別として新聞用紙が指定された場合、上限値選択部４８はトナー量制限における上限値として２００％という値を選択する。また、用紙種別として普通紙が指定された場合、上限値選択部４８はトナー量制限における上限値として２４０％という値を選択する。
【００６７】
本実施形態のように指定された用紙種別に基づいて自動的に上限値が変更されることにより、ユーザが上限値を指定する手間を必要とすることなく、用紙種別に応じた上限値の設定が可能となる。
【００６８】
本実施形態では、上限値選択部４８は、用紙種別情報に基づいて上限値を選択するものとして説明しているが、本発明はこのような場合に限定されるものではなく、他の情報に基づいてトナー量制限処理における上限値を選択するようにしてもよい。
【００６９】
[変形例]
上記実施形態では、レーザプリンタのように色材としてトナーを用いる画像形成装置の場合について説明を行なったが、色材としてインクを用いるインクジェットプリンタ等の他の画像形成装置に対しても同様に本発明を適用することができるものである。
【図面の簡単な説明】
【００７０】
【図１】本発明の第１の実施形態の画像形成装置１０を含む画像形成システムの構成を示す図である。
【図２】本発明の第１の実施形態の画像形成装置１０のハードウェア構成を示す図である。
【図３】本発明の第１の実施形態の画像形成装置１０の機能構成を示すブロック図である。
【図４】図３中の画像処理装置３３の構成を示すブロック図である。
【図５】トナー量制限部４５によるトナー量の制限方法を説明するための図である。
【図６】本発明の第１実施形態の画像処理装置３３の動作を示すフローチャートである。
【図７】本発明の第２の実施形態の画像処理装置３３ａの構成を示すブロック図である。
【図８】用紙種別情報と上限値との関係の一例を示す図である。
【符号の説明】
【００７１】
１０    画像形成装置
１４    ネットワーク
１６    制御バス
１８    ＣＰＵ
１９    メモリ
２０    端末装置
２２    記憶装置
２４    通信インタフェース（ＩＦ）
２６    ユーザインタフェース（ＵＩ）装置
２８、２８Ｋ〜２８Ｙ    印刷エンジン
２９    給紙装置
３０Ｋ〜３０Ｙ    エンジンコントローラ
３１    排出装置
３２    プリンタコントローラ
３３、３３ａ    画像処理装置
３４    色変換テーブル
３４ａ    入力色変換テーブル
３４ｂ    出力色変換テーブル
３５    ユーザＴＲＣテーブル
３６    キャリブレーションテーブル
４１    入力色変換部
４２    出力色変換部
４３    ユーザＴＲＣ設定部
４４    キャリブレーション処理部
４５    トナー量制限部
４６    スクリーン処理部
４７    上限値指定部
４８    上限値選択部
Ｓ１０１〜Ｓ１０７    ステップ
【図１】
2008153811.tif 000003
【図２】
2008153811.tif 000004
【図３】
2008153811.tif 000005
【図４】
2008153811.tif 000006
【図５】
2008153811.tif 000007
【図６】
2008153811.tif 000008
【図７】
2008153811.tif 000009
【図８】
2008153811.tif 000010